(57)【要約】      （修正有）【課題】マルチシステムの隣接チャネル共存での周波数割当方法およびネットワークエンティティを提供する。【解決手段】時分割複信（ＴＤＤ）システムにおける第１のネットワークエンティティは、ＴＤＤの周波数帯域内の、周波数分割複信（ＦＤＤ）の上り周波数帯域に隣接する第１の周波数リソースを上り伝送リソースとして、第２のネットワークエンティティに割り当て（２０１）、前記第１のネットワークエンティティは、前記第２のネットワークエンティティが前記第１の周波数リソースで送信した上りデータを受信し（２０２）、前記第１のネットワークエンティティは、ＴＤＤの周波数帯域内の、ＦＤＤの下り周波数帯域に隣接する第２の周波数リソースを下り伝送リソースとして、前記下り伝送リソースで下りデータを前記第２のネットワークエンティティに送信する（２０３）、ことを含む。【選択図】図２
2014045482.tif 000002
【特許請求の範囲】
【請求項１】
隣接チャネル共存での周波数割当方法であって、
時分割複信（ＴＤＤ）システムにおける第１のネットワークエンティティは、ＴＤＤの周波数帯域内の、周波数分割複信（ＦＤＤ）の上り周波数帯域に隣接する第１の周波数リソースを上り伝送リソースとして、第２のネットワークエンティティに割り当て、
前記第１のネットワークエンティティは、前記第２のネットワークエンティティが前記第１の周波数リソースで送信した上りデータを受信し、
前記第１のネットワークエンティティは、ＴＤＤの周波数帯域内の、ＦＤＤの下り周波数帯域に隣接する第２の周波数リソースを下り伝送リソースとして、前記第２の周波数リソースで下りデータを前記第２のネットワークエンティティに送信する、
ことを含むことを特徴とする方法。
【請求項２】
第１のネットワークエンティティが、第１の周波数リソースの割当情報を、リソーススケジューリング情報によって、第２のネットワークエンティティに指示する、ことをさらに含み、
前記第１のネットワークエンティティが、前記第２のネットワークエンティティが前記第１の周波数リソースで送信した上りデータを受信することは、第１のネットワークエンティティが、前記第２のネットワークエンティティが前記リソーススケジューリング情報に基づいて前記第１の周波数リソースで送信した上りデータを受信する、ことを含む、
ことを特徴とする請求項１に記載の方法。
【請求項３】
前記第１のネットワークエンティティは基地局であり、前記第２のネットワークエンティティはユーザ機器であり、あるいは、
前記第１のネットワークエンティティは基地局であり、前記第２のネットワークエンティティは無線リレーであり、あるいは、
前記第１のネットワークエンティティは無線リレーであり、前記第２のネットワークエンティティはユーザ機器である、
ことを特徴とする請求項１または２に記載の方法。
【請求項４】
第１のネットワークエンティティであって、
ＴＤＤの周波数帯域内の、ＦＤＤの上り周波数帯域に隣接する第１の周波数リソースを上り伝送リソースとして、第２のネットワークエンティティに割り当てるリソーススケジューリング手段と、
第２のネットワークエンティティが前記第１の周波数リソースで送信した上りデータを受信する受信手段と、
ＴＤＤの周波数帯域内の、ＦＤＤの下り周波数帯域に隣接する第２の周波数リソースを下り伝送リソースとして、前記第２の周波数リソースで下りデータを前記第２のネットワークエンティティに送信する送信手段と、
を含むことを特徴とする第１のネットワークエンティティ。
【請求項５】
前記送信手段は、さらに、リソーススケジューリング手段で割り当てられた第１の周波数リソースを、リソーススケジューリング情報によって、第２のネットワークエンティティに指示する、
ことを特徴とする請求項４に記載の第１のネットワークエンティティ。
【請求項６】
前記第１のネットワークエンティティは、基地局または無線リレーである、
ことを特徴とする請求項４または５に記載の第１のネットワークエンティティ。
【請求項７】
第２のネットワークエンティティであって、
ＴＤＤの周波数帯域内の、ＦＤＤの下り周波数帯域に隣接する第２の周波数リソースで、第１のネットワークエンティティからの下りデータを受信する受信手段と、
ＴＤＤの周波数帯域内の、ＦＤＤの上り周波数帯域に隣接する第１の周波数リソースで、上りデータを送信する送信手段と、
を含むことを特徴とする第２のネットワークエンティティ。
【請求項８】
前記送信手段は、第１のネットワークエンティティからのリソーススケジューリング情報に基づいて、ＴＤＤの周波数帯域内の、ＦＤＤの上り周波数帯域に隣接する第１の周波数リソースで、上りデータを送信する、
ことを特徴とする請求項７に記載の第２のネットワークエンティティ。
【請求項９】
前記第２のネットワークエンティティは、無線リレーまたはユーザ機器である、
ことを特徴とする請求項７または８に記載の第２のネットワークエンティティ。
【発明の詳細な説明】
【技術分野】
【０００１】
本発明は、無線通信技術に関し、特に、隣接チャネル共存での周波数割当方法およびネットワークエンティティに関する。
【背景技術】
【０００２】
広帯域アクセス技術の挑戦に対処し、かつ、新たなサービスの需要を満たすために、国際標準化機関３ＧＰＰは、２００４年末からその長期的な進化（ＬＴＥ：Ｌｏｎｇ  Ｔｅｒｍ  Ｅｖｏｌｕｔｉｏｎ）技術の標準化作業を開始した。これは、近年、３ＧＰＰで開始された最大の新技術開発プロジェクトである。ＬＴＥの研究は、例えば、遅延時間の低減、さらに高いユーザデータレート、システム容量やカバレッジの改善、および運用コストの軽減などを含む。３ＧＰＰ  ＬＴＥプロジェクトの主な性能目標は、３Ｇシステムよりはるかに高いピークレートを提供可能にすること、セル端ユーザの性能を改善すること、セル容量を向上させること、システム遅延を低下させ、アイドル状態からアクティブ状態までの遷移時間を短縮すること、超長い半径のセルカバレッジをサポートすること、高速移動ユーザに広帯域アクセスサービスを提供可能にすること、対スペクトルまたは不対スペクトルをサポートし、様々な帯域幅を柔軟に配置可能にすることなどである。
【０００３】
ＬＴＥ−Ａｄｖａｎｃｅｄは、ＬＴＥを基にして、次世代移動通信システム（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）を研究する際の候補技術提案である。無線リレー（Ｒｅｌａｙ）は、低電力・低コストのネットワークノードとしてＬＴＥ−Ａｄｖａｎｃｅｄシステムに導入され、トポロジーが柔軟であるという利点を有し、システムのスペクトル効率の向上、およびネットワークカバレッジの拡大を効率的に可能にする。３ＧＰＰのＲｅｌａｙについての検討の最新動向によると、ＬＴＥ−Ａｄｖａｎｃｅｄシステムでは、タイプ１（Ｔｙｐｅ  １）のＲｅｌａｙのサポートが既に定められたとともに、固定Ｒｅｌａｙが優先的に考慮される。
【発明の概要】
【発明が解決しようとする課題】
【０００４】
現在、国内外の各大手通信機器メーカーおよび移動ネットワーク事業者は、いずれも、既に大量の人員および資源を投入して、Ｒｅｌａｙのシステムシミュレーション、事前調査、およびアルゴリズム最適化などを含むＲｅｌａｙ技術の研究に取り組むことにより、４Ｇ世代の通信発展において指導的地位を占めることを図る。多くの国においても、複数の事業者がそれぞれのＬＴＥ／ＬＴＥ−Ａネットワークを個別に配置することがあるので、２つのシステムの隣接チャネル共存の場合が発生しやすい。例えば、周波数分割複信（ＦＤＤ：Ｆｒｅｑｕｅｎｃｙ  Ｄｉｖｉｓｉｏｎ  Ｄｕｐｌｅｘｉｎｇ）モードを用いたシステム（ＦＤＤシステムと略称）と、時分割複信（ＴＤＤ：Ｔｉｍｅ  Ｄｉｖｉｓｉｏｎ  Ｄｕｐｌｅｘｉｎｇ）モードを用いたシステム（ＴＤＤシステムと略称）との隣接チャネル共存である。このように、事業者は、ネットワーク計画時に、２つのシステム間の隣接チャネル干渉の問題を考慮して、共存によるシステムスループット損失をできるだけ低減させ、より効率的にスペクトルリソースを利用する必要がある。
【課題を解決するための手段】
【０００５】
上記に鑑みてなされて、本発明の一局面は、隣接チャネル共存での周波数割当方法を提供しており、他の局面は、２種類のネットワークエンティティを提供している。これにより、隣接チャネル干渉を抑制する。
【０００６】
本発明で提供されている隣接チャネル共存での周波数割当方法において、時分割複信（ＴＤＤ）システムにおける第１のネットワークエンティティは、ＴＤＤの周波数帯域内の、周波数分割複信（ＦＤＤ）の上り周波数帯域に隣接する第１の周波数リソースを上り伝送リソースとして、第２のネットワークエンティティに割り当て、前記第１のネットワークエンティティは、前記第２のネットワークエンティティが前記第１の周波数リソースで送信した上りデータを受信し、前記第１のネットワークエンティティは、ＴＤＤの周波数帯域内の、ＦＤＤの下り周波数帯域に隣接する第２の周波数リソースを下り伝送リソースとして、前記第２の周波数リソースで下りデータを前記第２のネットワークエンティティに送信する、ことを含む。
【０００７】
本発明の１つの実施形態において、該方法は、第１のネットワークエンティティが、第１の周波数リソースの割当情報を、リソーススケジューリング情報によって、第２のネットワークエンティティに指示する、ことをさらに含み、前記第１のネットワークエンティティが、前記第２のネットワークエンティティが前記第１の周波数リソースで送信した上りデータを受信することは、第１のネットワークエンティティが、前記第２のネットワークエンティティが前記リソーススケジューリング情報に基づいて前記第１の周波数リソースで送信した上りデータを受信する、ことを含む。
【０００８】
本発明の１つの実施形態において、前記第１のネットワークエンティティは基地局であり、前記第２のネットワークエンティティはユーザ機器であり、あるいは、前記第１のネットワークエンティティは基地局であり、前記第２のネットワークエンティティは無線リレーであり、あるいは、前記第１のネットワークエンティティは無線リレーであり、前記第２のネットワークエンティティはユーザ機器である。
【０００９】
本発明で提供されている第１のネットワークエンティティは、ＴＤＤの周波数帯域内の、ＦＤＤの上り周波数帯域に隣接する第１の周波数リソースを上り伝送リソースとして、第２のネットワークエンティティに割り当てるリソーススケジューリング手段と、第２のネットワークエンティティが前記第１の周波数リソースで送信した上りデータを受信する受信手段と、ＴＤＤの周波数帯域内の、ＦＤＤの下り周波数帯域に隣接する第２の周波数リソースを下り伝送リソースとして、前記第２の周波数リソースで下りデータを前記第２のネットワークエンティティに送信する送信手段と、を含む。
【００１０】
本発明の１つの実施形態において、前記送信手段は、さらに、リソーススケジューリング手段で割り当てられた第１の周波数リソースを、リソーススケジューリング情報によって、第２のネットワークエンティティに指示する。
【００１１】
本発明の１つの実施形態において、前記第１のネットワークエンティティは、基地局または無線リレーである。
【００１２】
本発明で提供されている第２のネットワークエンティティは、ＴＤＤの周波数帯域内の、ＦＤＤの下り周波数帯域に隣接する第２の周波数リソースで、第１のネットワークエンティティからの下りデータを受信する受信手段と、ＴＤＤの周波数帯域内の、ＦＤＤの上り周波数帯域に隣接する第１の周波数リソースで、上りデータを送信する送信手段と、を含む。
【００１３】
本発明の１つの実施形態において、前記送信手段は、第１のネットワークエンティティからのリソーススケジューリング情報に基づいて、ＴＤＤの周波数帯域内の、ＦＤＤの上り周波数帯域に隣接する第１の周波数リソースで、上りデータを送信する。
【００１４】
本発明の１つの実施形態において、前記第２のネットワークエンティティは、無線リレーまたはユーザ機器である。
【発明の効果】
【００１５】
上記の解決手段から分かるように、本発明では、ＴＤＤシステムにおける、ＦＤＤの上り周波数帯域に隣接する第１の周波数リソースを、ＴＤＤシステムの上りに専用して、ＴＤＤシステムにおける、ＦＤＤの下り周波数帯域に隣接する第２の周波数リソースを、ＴＤＤシステムの下りに専用するので、ＴＤＤシステムとＦＤＤシステムとの隣接周波数帯域は、ＴＤＤの上りとＦＤＤの上りとが隣接して、ＴＤＤの下りとＦＤＤの下りとが隣接するようになる。これにより、隣接チャネル干渉比（ＡＣＩＲ）の基本的な指標の要求が満足でき、隣接チャネル干渉が抑制される。
【図面の簡単な説明】
【００１６】
【図１】本発明の実施例における隣接チャネル共存での周波数割当の模式図である。
【図２】本発明の実施例における隣接チャネル共存での周波数割当方法の例示的なフローチャートである。
【図３】本発明の実施例における第１のネットワークエンティティの例示的な構成図である。
【図４】本発明の実施例における第２のネットワークエンティティの例示的な構成図である。
【図５】ＴＤＤシステムとＦＤＤシステムとが共存している場合、本発明の構成および従来の構成によるＴＤＤの周波数帯域内でＦＤＤの上り周波数帯域に隣接する周波数の割当の模式図であり、ここで、左側の楕円内は、本発明の構成によるＴＤＤの周波数帯域内でＦＤＤの上り周波数帯域に隣接する周波数の割当の模式図であり、右側の楕円内は、従来の構成によるＴＤＤの周波数帯域内でＦＤＤの上り周波数帯域に隣接する周波数の割当の模式図である。
【図６】図５に示す周波数割当の状況によるシステム性能比較のシミュレーション図である。
【図７】ＴＤＤシステムとＦＤＤシステムとが共存している場合、本発明の構成および従来の構成によるＴＤＤの周波数帯域内でＦＤＤの下り周波数帯域に隣接する周波数の割当の模式図であり、ここで、左側の楕円内は、本発明の構成によるＴＤＤの周波数帯域内でＦＤＤの下り周波数帯域に隣接する周波数の割当の模式図であり、右側の楕円内は、従来の構成によるＴＤＤの周波数帯域内でＦＤＤの下り周波数帯域に隣接する周波数の割当の模式図である。
【図８】図７に示す周波数割当の状況によるシステム性能比較のシミュレーション図である。
【発明を実施するための形態】
【００１７】
ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）地上無線アクセスは、ＴＤＤおよびＦＤＤの２種類のモードを用いて無線インターフェースを実現する。ＴＤＤモードは、上りデータおよび下りデータの伝送に同一の周波数リソース（即ち、キャリア）を使用する複信方式であり、時間に応じて上り伝送と下り伝送との切り替えを行う必要があり、物理層の時間単位が上りの時間単位および下りの時間単位に分けられ、物理層の時間単位がタイムスロット（ＴＳ：Ｔｉｍｅ  Ｓｌｏｔ）や、直交周波数分割多重（ＯＦＤＭ）システムにおけるＯＦＤＭシンボルなどを含む。ＦＤＤモードは、上りデータおよび下りデータの伝送に、分離した２つの対応する周波数リソースを使用する複信方式であり、上りと下りとの周波数間隔が普通、１９０ＭＨｚである。ここで、上りデータ伝送用のＦＤＤの周波数帯域は、ＦＤＤの上り周波数帯域と呼ばれ、下りデータ伝送用のＦＤＤの周波数帯域は、ＦＤＤの下り周波数帯域と呼ばれる。
【００１８】
隣接チャネル干渉は、主に、上りによる下りへの干渉、下りによる上りへの干渉、上りによる上りへの干渉、および下りによる下りへの干渉を含む。ＴＤＤシステムとＦＤＤシステムとの隣接チャネル共存の場合、従来の研究から分かるように、最も厳しい隣接チャネル干渉問題は、下りによる上りへの干渉に発生するが、ＴＤＤの上りによるＦＤＤの上りへの干渉、ＦＤＤの上りによるＴＤＤの上りへの干渉、ＴＤＤの下りによるＦＤＤの下りへの干渉、およびＦＤＤの下りによるＴＤＤの下りへの干渉は、隣接チャネル干渉比（ＡＣＩＲ）の基本的な指標の要求を満足できる。
【００１９】
隣接チャネル干渉を抑制するために、本実施例では、図１に示すように、ＴＤＤシステムにおける、ＦＤＤの上り周波数帯域に隣接する第１の周波数リソースを、ＴＤＤシステムの上りに専用して、ＴＤＤシステムにおける、ＦＤＤの下り周波数帯域に隣接する第２の周波数リソースを、ＴＤＤシステムの下りに専用することが考慮される。このように、ＴＤＤシステムとＦＤＤシステムとの隣接周波数帯域は、ＴＤＤの上りとＦＤＤの上りとが隣接して、ＴＤＤの下りとＦＤＤの下りとが隣接するようになる。これにより、隣接チャネル干渉比（ＡＣＩＲ）の基本的な指標の要求が満足でき、隣接チャネル干渉が抑制される。
【００２０】
ここで、ＴＤＤシステムの上りは、ユーザから基地局への上り、無線リレーから基地局への上り、およびユーザから無線リレーへの上りのうちの少なくとも１つを含むことができ、ＴＤＤシステムの下りは、基地局からユーザへの下り、基地局から無線リレーへの下り、および無線リレーからユーザへの下りのうちの少なくとも１つを含むことができる。
【００２１】
本発明の解決手段およびメリットをさらに明確にするために、以下、実施例および図面を参照して、本発明をさらに詳しく説明する。
【００２２】
図２は、本発明の実施例における隣接チャネル共存での周波数割当方法の例示的なフローチャートである。図２に示すように、この方法は、下記のような処理フローを含む。
【００２３】
ステップ２０１で、ＴＤＤシステムにおける第１のネットワークエンティティは、ＴＤＤの周波数帯域内の、ＦＤＤの上り周波数帯域に隣接する周波数リソース（区別しやすいために、第１の周波数リソースと呼ぶ）を上り伝送リソースとして、第２のネットワークエンティティに割り当てる。
【００２４】
若干の応用では、本ステップにおける第１のネットワークエンティティが、第１の周波数リソースの割当情報を、リソーススケジューリング情報の送信によって、第２のネットワークエンティティに指示し、第２のネットワークエンティティが、該リソーススケジューリング情報に基づいて、上りデータを第１の周波数リソースに付けて、第１のネットワークエンティティに送信するようにしてもよい。
【００２５】
ステップ２０２で、第１のネットワークエンティティは、第２のネットワークエンティティが前記第１の周波数リソースで送信した上りデータを受信する。
【００２６】
本実施例では、元のＴＤＤシステムにおける第１の周波数リソースに対応する上りの時間単位および下りの時間単位を、いずれも上りデータ伝送時間単位、即ち、第２のネットワークエンティティから第１のネットワークエンティティへの時間単位として用いることができる。勿論、実際の応用では、元のＴＤＤシステムにおける第１の周波数リソースに対応する上りの時間単位のみを上りデータ伝送時間単位として用いて、第１の周波数リソースの下りの時間単位を予備単位などとすることもできる。
【００２７】
ステップ２０３で、第１のネットワークエンティティは、ＴＤＤの周波数帯域内の、ＦＤＤの下り周波数帯域に隣接する周波数リソース（区別しやすいために、第２の周波数リソースと呼ぶ）を下り伝送リソースとして、前記第２の周波数リソースで下りデータを前記第２のネットワークエンティティに送信する。
【００２８】
本実施例では、元のＴＤＤシステムにおける第２の周波数リソースに対応する上りの時間単位および下りの時間単位を、いずれも下りデータ伝送時間単位、即ち、第１のネットワークエンティティから第２のネットワークエンティティへの時間単位として用いることができる。勿論、実際の応用では、元のＴＤＤシステムにおける第２の周波数リソースに対応する下りの時間単位のみを下りデータ伝送時間単位として用いて、第２の周波数リソースの上りの時間単位を予備単位などとすることもできる。
【００２９】
上記の実施例では、第１のネットワークエンティティは基地局であってよく、相応的に、第２のネットワークエンティティはユーザ機器または無線リレーであってよい。あるいは、第１のネットワークエンティティは無線リレーであってもよく、相応的に、第２のネットワークエンティティはユーザ機器である。
【００３０】
図３は、本発明の実施例における第１のネットワークエンティティの例示的な構成図である。図３に示すように、この第１のネットワークエンティティは、リソーススケジューリング手段３０１と、受信手段３０２と、送信手段３０３と、を含むことができる。
【００３１】
ここで、リソーススケジューリング手段３０１は、ＴＤＤの周波数帯域内の、ＦＤＤの上り周波数帯域に隣接する第１の周波数リソースを上り伝送リソースとして、第２のネットワークエンティティに割り当てる。若干の応用では、第１のネットワークエンティティが、第１の周波数リソースの割当情報を、リソーススケジューリング情報の送信によって、第２のネットワークエンティティに指示し、第２のネットワークエンティティが、該リソーススケジューリング情報に基づいて、上りデータを第１の周波数リソースに付けて、第１のネットワークエンティティに送信するようにしてもよい。
【００３２】
受信手段３０２は、第２のネットワークエンティティが前記第１の周波数リソースで送信した上りデータを受信する。図１に示す方法に対応して、本実施例では、元のＴＤＤシステムにおける第１の周波数リソースに対応する上りの時間単位および下りの時間単位を、いずれも上りデータ伝送時間単位、即ち、第２のネットワークエンティティから第１のネットワークエンティティへの時間単位として用いることができ、または、元のＴＤＤシステムにおける第１の周波数リソースに対応する上りの時間単位のみを上りデータ伝送時間単位として用いて、第１の周波数リソースの下りの時間単位を予備単位などとすることもできる。
【００３３】
送信手段３０３は、ＴＤＤの周波数帯域内の、ＦＤＤの下り周波数帯域に隣接する第２の周波数リソースを下り伝送リソースとして、前記第２の周波数リソースで下りデータを前記第２のネットワークエンティティに送信する。図１に示す方法に対応して、本実施例では、元のＴＤＤシステムにおける第２の周波数リソースに対応する上りの時間単位および下りの時間単位を、いずれも下りデータ伝送時間単位として用いることができ、または、元のＴＤＤシステムにおける第２の周波数リソースに対応する下りの時間単位のみを下りデータ伝送時間単位として用いて、第２の周波数リソースの上りの時間単位を予備単位などとすることもできる。
【００３４】
本実施例では、第１のネットワークエンティティは、基地局または無線リレーであってよい。
【００３５】
図４は、本発明の実施例における第２のネットワークエンティティの例示的な構成図である。図４に示すように、この第２のネットワークエンティティは、受信手段４０１と、送信手段４０２と、を含むことができる。
【００３６】
ここで、受信手段４０１は、ＴＤＤの周波数帯域内の、ＦＤＤの下り周波数帯域に隣接する第２の周波数リソースで、第１のネットワークエンティティからの下りデータを受信する。図１に示す方法に対応して、本実施例では、元のＴＤＤシステムにおける第２の周波数リソースに対応する下りの時間単位および上りの時間単位を、いずれも下りデータ伝送時間単位、即ち、第１のネットワークエンティティから第２のネットワークエンティティへの時間単位として用いることができ、または、元のＴＤＤシステムにおける第２の周波数リソースに対応する下りの時間単位のみを下りデータ伝送時間単位として用いて、第２の周波数リソースの上りの時間単位を予備単位などとすることもできる。
【００３７】
送信手段４０２は、ＴＤＤの周波数帯域内の、ＦＤＤの上り周波数帯域に隣接する第１の周波数リソースで、上りデータを送信する。図１に示す方法に対応して、送信手段４０２は、第１のネットワークエンティティからのリソーススケジューリング情報に基づいて、前記第１の周波数リソースで上りデータを送信することができる。本実施例では、元のＴＤＤシステムにおける第１の周波数リソースに対応する上りの時間単位および下りの時間単位を、いずれも上りデータ伝送時間単位、即ち、第２のネットワークエンティティから第１のネットワークエンティティへの時間単位として用いることができ、または、元のＴＤＤシステムにおける第１の周波数リソースに対応する上りの時間単位のみを上りデータ伝送時間単位として用いて、第１の周波数リソースの下りの時間単位を予備単位などとすることもできる。
【００３８】
本実施例では、第２のネットワークエンティティは、無線リレーまたはユーザ機器であってよい。
【００３９】
現在、若干の応用では、ＦＤＤシステムとＴＤＤシステムとが共存している場合について、スペクトルリソース計画時に、ＴＤＤシステムとＦＤＤシステムとの周波数帯域の間には、ＴＤＤシステムとＦＤＤシステムとの間の隣接チャネル干渉を抑制するためのガード帯域をリザーブする。本発明の実施例では、ＦＤＤシステムとＴＤＤシステムとの間にガード帯域が存在しない場合について、隣接チャネル間の干渉を効率的に低減させることができ、ＦＤＤシステムとＴＤＤシステムとの間にガード帯域が存在する場合についても、同様に隣接チャネル間の干渉をさらに低減させることができる。また、本発明の実施例では、ＴＤＤシステム内で、ＴＤＤシステムにおける基地局が、自システムにおける周波数帯域から一部を分割して、ＴＤＤシステムの上りおよび下りに専用し、この一部の周波数帯域の分割が実際の状況に応じて柔軟に調整できる。このため、若干の応用でガード帯域が固定された場合に対して、該方法は、実際の必要に応じて、ＦＤＤシステムとＴＤＤシステムとの間のガード帯域を柔軟に調整でき、隣接チャネル間の干渉が最大限に抑制される。また、柔軟に調整されるこの一部のガード帯域は、隣接チャネル干渉が満足されるとともに、十分に利用される。
【００４０】
本発明の構成は、ＬＴＥシステムに適用できるだけでなく、２Ｇ、３Ｇ、４Ｇなどの移動通信システムにも適用できる。
【００４１】
以下、第１のネットワークエンティティが基地局であって、第２のネットワークエンティティが無線リレーである場合を例として、本発明の実施例における構成と従来技術における隣接チャネル抑制なしの構成とのシステム性能をシミュレーション比較を行う。
【００４２】
シミュレーションパラメータは、以下の通りである。ＴＤＤシステムおよびＦＤＤシステムは、いずれも１９個のセル、５７個のセクターを含み、無線リレーは、基地局から１．５Ｒ離れる位置にあり、ここで、Ｒはセル半径である。キャリア周波数の中心周波数は、２．６Ｇである。帯域幅は、１０ＭＨｚである。同一のシステムにおいて、隣接する２つの基地局の距離（ＩＳＤ）は、７５０ｍである。無線リレーのアンテナの高さは、５ｍである。各マクロセルそれぞれは、５個の無線リレーを含む。
【００４３】
上記のシミュレーションパラメータで、図５には、ＴＤＤシステムとＦＤＤシステムとが共存している場合、本発明の構成および従来の構成によるＴＤＤの周波数帯域内でＦＤＤの上り周波数帯域に隣接する周波数の割当の模式図を示し、ここで、左側の楕円内は、本発明の構成によるＴＤＤの周波数帯域内でＦＤＤの上り周波数帯域に隣接する周波数の割当の模式図であり、右側の楕円内は、従来の構成によるＴＤＤの周波数帯域内でＦＤＤの上り周波数帯域に隣接する周波数の割当の模式図である。ここから分かるように、従来の構成では、ＴＤＤの周波数帯域内でＦＤＤの上り周波数帯域に隣接する周波数を、基地局から無線リレーへの下り、および基地局からユーザ機器への下りに割り当てる場合があり、即ち、ＴＤＤの下りによるＦＤＤの上りへの干渉が存在している。一方、本発明の構成では、ＴＤＤの周波数帯域内でＦＤＤの上り周波数帯域に隣接する周波数を、無線リレーから基地局への上りに割り当てる。図６は、図５に示す周波数割当の状況によるシステム性能比較のシミュレーション図である。ここから分かるように、本発明の構成を用いると、隣接チャネル干渉による容量損失比（ＴＰＬ）は、大幅に低減している。
【００４４】
同様に、図７には、ＴＤＤシステムとＦＤＤシステムとが共存している場合、本発明の構成および従来の構成によるＴＤＤの周波数帯域内でＦＤＤの下り周波数帯域に隣接する周波数の割当の模式図を示し、ここで、左側の楕円内は、本発明の構成によるＴＤＤの周波数帯域内でＦＤＤの下り周波数帯域に隣接する周波数の割当の模式図であり、右側の楕円内は、従来の構成によるＴＤＤの周波数帯域内でＦＤＤの下り周波数帯域に隣接する周波数の割当の模式図である。ここから分かるように、従来の構成では、ＴＤＤの周波数帯域内でＦＤＤの下り周波数帯域に隣接する周波数を、無線リレーから基地局への上り、およびユーザ機器から基地局への上りに割り当てる場合があり、即ち、ＦＤＤの下りによるＴＤＤの上りへの干渉が存在している。一方、本発明の構成では、ＴＤＤの周波数帯域内でＦＤＤの下り周波数帯域に隣接する周波数を、基地局から無線リレーへの下りに割り当てる。図８は、図７に示す周波数割当の状況によるシステム性能比較のシミュレーション図である。ここから分かるように、本発明の構成を用いると、隣接チャネル干渉による容量損失比（ＴＰＬ）は、大幅に低減している。
【００４５】
上記の実施例の説明から、当業者は、以下の内容を明確に理解できる。即ち、ソフトウェアおよび必要な汎用ハードウェアプラットフォームを借りて、上記の実施例を実現することができ、勿論、ハードウェアによって実現することもできるが、多くの場合に前者はより好ましい実施形態である。このような理解に基づき、本発明の構成は、全部または一部がソフトウェア製品の形で表現されることができ、このコンピュータソフトウェア製品は、記憶媒体に記憶され、コンピュータ機器（パーソナルコンピュータ、サーバ、またはネットワーク機器などであってよい）に上記の実施例における方法を実行させるための若干の指令を含む。
【００４６】
当業者は、以下の内容を理解できる。即ち、上記の実施例における装置のモジュールは、実施例の説明の通り、実施例の装置に配置することができ、相応の変更を行って、本実施例と異なる１つまたは複数の装置に位置することもできる。上記の実施例のモジュールは、１つのモジュールに併合することができ、さらに複数のサブモジュールに分けることもできる。
【００４７】
また、上記の各実施例で提供されている構成に基づき、ここで、本文におけるマルチシステムの隣接チャネル共存での周波数割当方法を機械に実行させるための指令を記憶する機械読み取り可能な記憶媒体が提供されている。具体的に、上記の実施例のうちいずれかの実現方式の機能を実現するソフトウェアプログラムコードが記憶されている記憶媒体が配されたシステムまたは装置を提供するとともに、該システムまたは装置のコンピュータ（またはＣＰＵ、またはＭＰＵ）に、記憶媒体に記憶されているプログラムコードを読み出して実行させるようにしてもよい。
【００４８】
この場合、記憶媒体から読み取られたプログラムコード自体は、上記の実施例のうちいずれかの機能を実現できるので、プログラムコード、およびプログラムコードを記憶する記憶媒体は、上記のマッピング管理を実現する構成の一部となる。
【００４９】
プログラムコードを提供するための記憶媒体の実施例は、フロッピー（登録商標）ディスク、ハードディスク、光磁気ディスク、光ディスク（例えば、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ）、磁気テープ、不揮発性のメモリカードおよびＲＯＭを含む。選択的に、通信ネットワークによって、サーバコンピュータからプログラムコードをダウンロードしてもよい。
【００５０】
また、明らかなように、コンピュータで読み出されたプログラムコードを実行することにより、上記の実施例の機能を実現するようにしてもよいだけでなく、プログラムコードの指令に基づいて、コンピュータで動作するオペレーティングシステムなどに、一部または全部の実際の動作を実行させることにより、上記の実施例の機能を実現するようにしてもよい。
【００５１】
また、理解できるように、記憶媒体から読み出されたプログラムコードを、コンピュータに挿入された拡張ボードに設けられているメモリに書き込み、または、コンピュータに接続される拡張手段に設けられているメモリに書き込み、その後、プログラムコードの指令に基づいて、拡張ボードまたは拡張手段に取り付けられているＣＰＵなどに、一部または全部の実際の動作を実行させることにより、上記の実施例のうちいずれかの機能を実現するようにしてもよい。
【００５２】
上記の具体的な実施例では、本発明の目的、解決手段、および有益な効果をさらに詳しく説明している。理解すべきものとして、上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００５３】
３０１  リソーススケジューリング手段
３０２  受信手段
３０３  送信手段
４０１  受信手段
４０２  送信手段
【図１】
2014045482.tif 000003
【図２】
2014045482.tif 000004
【図３】
2014045482.tif 000005
【図４】
2014045482.tif 000006
【図６】
2014045482.tif 000007
【図８】
2014045482.tif 000008
【図５】
2014045482.tif 000009
【図７】
2014045482.tif 000010